(57)【要約】      （修正有）【課題】５ギガバイト／秒（Ｇｂ／ｓ）（５０億バイト／秒）までの伝送速度のデジタル信号を運ぶことができるシールドされたワイヤケーブルアセンブリ用の電気接続システムを提供する。【解決手段】導電体（１０２，１０４）を終端させるとともに５ギガバイト／秒（Ｇｂ／ｓ）以上のデータ伝送速度を有するデジタル電気信号を伝送するように構成された電気接続システム。このシステムは、平面的な接続部を有する端子の第１の平行な鏡像対称対と、平行な鏡像対称の端子の第２の対と、を備えている。平行な鏡像対称の端子の第２の対は、片持ちビーム部と、第１の端子の平面的な接続部に接触するように構成された接触点と、を有する。【選択図】図１
2019106355.tif 000002
【特許請求の範囲】
【請求項１】
電気接続システムであって、
第１の導電体（１０２）と第２の導電体（１０４）とを備え、
前記第１の導電体（１０２）と前記第２の導電体（１０４）との間に第１の一定の間隔が維持され、
前記電気接続システムは、さらに、第３の導電体（１０２）と第４の導電体（１０４）とを備え、
前記第３の導電体（１０２）と前記第４の導電体（１０４）との間に第２の一定の間隔が維持され、
前記電気接続システムは、さらに、プラグコネクタ（１３０）を備え、
前記プラグコネクタ（１３０）は、
略矩形の断面によって特徴付けられる平面状の第１の接続部と、前記第１の導電体（１０２）に取り付けられる第１の取付部（１４４）と、を有する第１のプラグ端子（１６０）と、
略矩形の断面によって特徴付けられる平面状の第２の接続部と、前記第２の導電体（１０４）に取り付けられる第２の取付部（１４４）と、を有する第２のプラグ端子（１６２）と
を備え、
前記第１の取付部（１４４）と前記第２の取付部（１４４）との間の間隔が、前記第１の導電体（１０２）と前記第２の導電体（１０４）と間の前記第１の一定の間隔を維持し、
前記第１のプラグ端子（１６０）および前記第２のプラグ端子（１６２）は、長手方向軸線のまわりで左右対称の第１の鏡像対称端子対を形成し、
前記電気接続システムは、さらに、前記プラグコネクタ（１３０）と接続するように構成されたレセプタクルコネクタ（１２８）を備え、
前記プラグコネクタ（１３０）は、前記第３の導電体（１０２）に取り付けられる第３の取付部（１４４）と、第１の片持ちビーム部（１３６）であって、該第１の片持ちビーム部（１３６）から延在する凸状の第１の接触点（１３８）を形成する略矩形の断面によって特徴付けられる第１の片持ちビーム部（１３６）と、を有する第１のレセプタクル端子（１３２）を備え、
前記第１の接触点は、前記第１のプラグ端子（１６０）の前記第１の接続部と接触するように構成され、
前記プラグコネクタ（１３０）は、さらに、前記第４の導電体（１０４）に取り付けられる第４の取付部（１４４）と、第２の片持ちビーム部（１４０）であって、該第２の片持ちビーム部（１４０）から延在する凸状の第２の接触点（１４２）を形成する略矩形の断面によって特徴付けられる第２の片持ちビーム部（１４０）と、を有する第２のレセプタクル端子（１３４）を備え、
前記第２の接触点は、前記第２のプラグ端子（１６２）の前記第２の接続部と接触するように構成され、
前記第３の取付部（１４４）と前記第４の取付部（１４４）との間隔が、前記第３の導電体（１０２）と前記第４の導電体（１０４）との間の前記第２の一定の間隔を維持し、
前記第１のレセプタクル端子（１３２）および前記第２のレセプタクル端子（１３４）は、前記長手方向軸線のまわりで左右対称の第２の鏡像対称端子対を形成し、
前記プラグコネクタ（１３０）は、前記レセプタクルコネクタ（１２８）に接続され、
前記第１の接続部の主要幅は、前記第１の片持ちビーム部（１３６）の主要幅と実質的に垂直であり、
前記第２の接続部の主要幅は、前記第２の片持ちビーム部（１４０）の主要幅と実質的に垂直である
電気接続システム。
【請求項２】
請求項１に記載の電気接続システムであって、
前記第１のレセプタクル端子（１３２）は、前記第２のレセプタクル端子（１３４）に向けて内向きに延在する第１のタブ（１４６）を形成し、前記第２のレセプタクル端子（１３４）は、前記第１のレセプタクル端子（１３２）に向けて内向きに延在する第２のタブ（１４６）を形成し、それによって、前記第１のレセプタクル端子（１３２）と前記第２のレセプタクル端子（１３４）との距離が低減するとともに、前記第１のレセプタクル端子（１３２）と前記第２のレセプタクル端子（１３４）との間の静電結合が増大する
電気接続システム。
【請求項３】
請求項１に記載の電気接続システムであって、
前記第１のプラグ端子（１６０）および前記第２のプラグ端子（１６２）は、プラグ端子ホルダ（１７０）内に部分的に包まれ、
前記プラグ端子ホルダ（１７０）は、誘電材料から形成されており、前記第１の取付部（１４４）と前記第２の取付部（１４４）との横方向の離間を維持するように構成される
電気接続システム。
【請求項４】
請求項１に記載の電気接続システムであって、
前記第１のレセプタクル端子（１３２）および前記第２のレセプタクル端子（１３４）は、レセプタクル端子ホルダ（１４８）内に部分的に包まれ、
前記レセプタクル端子ホルダ（１４８）は、誘電材料から形成されており、前記第３の取付部（１４４）と前記第４の取付部（１４４）との横方向の離間を維持するように構成される
電気接続システム。
【請求項５】
請求項４に記載の電気接続システムであって、
前記レセプタクル端子ホルダ（１４８）は、前記第１のレセプタクル端子（１３２）および前記第２のレセプタクル端子（１３４）に隣接して一対のチャネルを形成し、
前記一対のチャネルは、前記第１のレセプタクル端子（１３２）および前記第２のレセプタクル端子（１３４）の鉛直方向の撓みを可能にするように構成された
電気接続システム。
【請求項６】
請求項１に記載の電気接続システムであって、
前記プラグコネクタ（１３０）から電気的に絶縁され、第１のシールド導体に取り付けられるように構成されるとともに、前記プラグコネクタ（１３０）を長手方向に取り囲むように構成されたプラグシールド（１７２）と、
前記レセプタクルコネクタ（１２８）から電気的に絶縁され、第２のシールド導体に取り付けられるように構成されるとともに、前記レセプタクルコネクタ（１２８）を長手方向に取り囲むように構成されたレセプタクルシールド（１７４）と
をさらに備え、
前記レセプタクルシールド（１７４）は、前記プラグシールド（１７２）の内部と摺動可能に係合するように構成された
電気接続システム。
【請求項７】
請求項６に記載の電気接続システムであって、
前記レセプタクルシールド（１７４）は、前記第１のレセプタクル端子（１３２）の第１のタブ（１４６）および前記第２のレセプタクル端子（１３４）の延在する前記第２のタブ（１４６）の位置の近傍に内向きのエンボス加工を形成し、それによって、前記第１のタブ（１４６）および前記第２のタブ（１４６）と前記レセプタクルシールド（１７４）との距離を低減し、前記第１のレセプタクル端子（１３２）および前記第２のレセプタクル端子（１３４）と前記レセプタクルシールド（１７４）との間の静電結合を増大させる
電気接続システム。
【請求項８】
請求項１に記載の電気接続システムであって、
第１の導電体（１０２）および第２の導電体（１０４）は、シールドされたワイヤケーブル（１００）内の導線と、導電回路基板配線内の導線と、からなる群から選択される
電気接続システム。
【請求項９】
請求項８に記載の電気接続システムであって、
前記プラグシールド（１７２）は、前記第１のプラグ端子（１６０）および前記第２のプラグ端子（１６２）の前記第１の取付部（１４４）および前記第２の取付部（１４４）の位置の近傍に外向きのエンボス加工を形成し、それによって、前記第１の取付部（１４４）および前記第２の取付部（１４４）と前記プラグシールド（１７２）との距離を増大させ、前記第１のプラグ端子（１６０）および前記第２のプラグ端子（１６２）と前記プラグシールド（１７２）との間の静電結合を低減させる
電気接続システム。
【請求項１０】
請求項８に記載の電気接続システムであって、
前記レセプタクルシールド（１７４）は、前記第１のレセプタクル端子（１３２）および前記第２のレセプタクル端子（１３４）の前記第３の取付部（１４４）および前記４の取付部（１４４）の位置の近傍に外向きのエンボス加工を形成し、それによって、前記第３の取付部（１４４）および前記４の取付部（１４４）と前記レセプタクルシールド（１７４）との距離を増大させ、前記第１のレセプタクル端子（１３２）および前記第２のレセプタクル端子（１３４）と前記レセプタクルシールド（１７４）との間の静電結合を低減させる
電気接続システム。
【請求項１１】
請求項１に記載の電気接続システムであって、
前記第３の導電体（１０２）および前記第４の導電体（１０４）は、シールドされたワイヤケーブル（１００）内の導線と、導電回路基板配線内の導線と、からなる群から選択される
電気接続システム。
【発明の詳細な説明】
【技術分野】
【０００１】
[0001]本願は、２０１７年１１月３日に出願された米国特許出願第１５／８０３，１２５号の利益を要求する。当該出願の開示全体は、参照によって本願に組み入れられる。
【０００２】
[0002]本願は、概して、電気接続システムに関し、より詳細には、７．５ギガヘルツ（ＧＨｚ）の周波数成分をさらに必要とする５ギガバイト／秒（Ｇｂ／ｓ）以上のデータ伝送速度を有するデジタル電気信号をディファレンシャルに伝送できるシールドされたワイヤケーブル同士を接続するように構成された電気接続システムに関する。
【背景技術】
【０００３】
[0003]デジタルデータプロセッサ速度の増加は、データ伝送速度の増加につながってきた。電気部品をデジタルデータプロセッサに接続するのに使用される伝送媒体は、高速デジタル信号を様々な部品間で効率的に伝送するように構成されなければならない。有線媒体（例えば、光ファイバケーブル、同軸ケーブル、または、ツイストペアケーブル）は、接続される部品が固定位置にあり、比較的近傍にある（例えば、１００メートル未満離間している）用途において好適であり得る。光ファイバケーブルは、約１００Ｇｂ／ｓまでのデータ伝送速度をサポートし得る伝送媒体を提供し、実質的に電磁干渉に影響を受けない。同軸ケーブルは、典型的には、１００メガバイト／秒（Ｍｂ／ｓ）までのデータ伝送速度をサポートし、電磁干渉に対する良好な耐性を有している。ツイストペアケーブルは、約５Ｇｂ／ｓまでのデータ伝送速度をサポートすることができる。ただし、これらのケーブルは、典型的には、伝送線または通信線に特化したケーブル内に複数のツイストペアを必要とする。ツイストペアケーブルの導体は、電磁干渉に対する良好な耐性を提供するが、これは、ケーブル内にツイストペアのための遮蔽を備えることによって改善され得る。
【０００４】
[0004]データ伝送プロトコル（例えば、ユニバーサルシリアルバス（ＵＳＢ）３．０および高精細マルチメディアインタフェース（ＨＤＭＩ）１．４は、５Ｇｂ／ｓ以上でのデータ伝送速度を必要とする。既存の同軸ケーブルは、この速度の付近でデータ伝送速度をサポートするように経済的に、または、高い信頼性で実施することができない。光ファイバケーブルおよびツイストペアケーブルは、これらの伝送速度でデータを伝送することができる。ただし、光ファイバケーブルは、ツイストペアケーブルよりも非常に高価であり、高いデータ伝送速度および電磁干渉耐性を必要としないコスト重視の用途には、魅力が少ない。
【０００５】
[0005]自動車およびトラックにおけるインフォテインメントシステムおよび他の電子システムは、高速データ伝送速度信号を運ぶことができるケーブルを必要とし始めている。自動車等級のケーブルは、環境要件（例えば、耐熱性および耐湿性）を満たすことができるだけでなく、車両ワイヤハーネスにおいて引き回されるのに十分な柔軟性を有しているとともに、車両燃費要件を満たす助けになるように軽量でなければならない。したがって、光ファイバケーブルでは現在満たすことができないコスト目標を満たしつつ、高速データ伝送速度を有し、軽量で、車両ワイヤハーネス内にパッケージされるのに十分に柔軟なワイヤケーブルが求められる。このワイヤケーブルに与えられる特定の用途は自動車であるが、そのようなワイヤケーブルは、おそらく他の用途（例えば、航空宇宙用、海運用、工業用制御、または、他のデータ通信）も見つけるであろう。
【０００６】
[0005]背景技術の欄に記載された主題は、背景技術の欄において記載されていることのみから先行技術であると推定されるべきではない。同様に、背景技術の欄で述べられる問題、または、背景技術の欄の主題に関連する問題は、先行技術において従前から認識されていたものとして推定されるべきではない。背景技術の欄の主題は、様々なアプローチを表しているに過ぎず、それら自体も発明になり得る。
【発明の概要】
【課題を解決するための手段】
【０００７】
[0007]本発明の一実施形態によれば、電気接続システムが提供される。この電気接続システムは、第１の導電体と第２の導電体とを備えている。第１および第２の導電体と第３の導電体と第４の導電体との間に第１の一貫した間隔が維持される。第３の導電体と第４の導電体との間に第２の一貫した間隔が維持される。電気接続システムは、さらに、プラグコネクタを備えている。プラグコネクタは、略矩形の断面によって特徴付けられる平面的な第１の接続部と、第１の導電体に取り付けられる第１の取付部と、を有する第１のプラグ端子を備えている。プラグコネクタは、さらに、略矩形の断面によって特徴付けられる平面的な第２の接続部と、第２の導電体に取り付けられる第２の取付部と、を有する第２のプラグ端子を備えている。第１の取付部と第２の取付部との間の間隔は、第１の導電体と第２の導電体との間の第１の一貫した間隔を維持する。第１のプラグ端子および第２のプラグ端子は、長手方向軸線を中心として左右対称の第１の鏡写し端子対と、上記プラグコネクタに接続するように構成されたレセプタクルコネクタと、を形成する。レセプタクルコネクタは、第３の電気コネクタに取り付けられる第３の取付部と、略矩形の断面によって特徴付けられる第１の片持ちビーム部と、を有する第１のレセプタクル端子を備えている。略矩形の断面は、第１の片持ちビーム部から延在する第１の凸状接触点を形成する。第１の接触点は、第１のプラグ端子の第１の接続部に接触するように構成される。レセプタクルコネクタは、さらに、第４の導電体に取り付けられる第４の取付部と、略矩形の断面によって特徴付けられる第２の片持ちビーム部と、を有する第２のレセプタクル端子を備えている。略矩形の断面は、第２の片持ちビーム部から延在する第２の凸状接触点を形成する。第２の接触点は、第２のプラグ端子の第２の接続部に接触するように構成される。第３の取付部と第４の取付部との間の間隔は、第３の導電体と第４の導電体との間の第２の一貫した間隔を維持する。第１のレセプタクル端子および第２のレセプタクル端子は、長手方向軸線を中心として左右対称の第２の鏡写し端子対を形成する。プラグコネクタがレセプタクルコネクタに接続されたとき、第１の接続部の主要幅は、第１の片持ちビーム部の主要幅と実質的に直交し、第２の接続部の主要幅は、第２の片持ちビーム部の主要幅と実質的に直交する。
【０００８】
[0008]第１のレセプタクル端子は、第２のレセプタクル端子に向けて内向きに延在する第１のタブを形成してもよく、第２のレセプタクル端子は、第１のレセプタクル端子に向けて内向きに延在する第２のタブを形成してもよく、それによって、第１のレセプタクル端子と第２のレセプタクル端子との間の距離が低減され、第１のレセプタクル端子と第２のレセプタクル端子との間の静電結合が増大する。
【０００９】
[0009]第１および第２のプラグ端子は、誘電材料から形成されるとともに第１の取付部と第２の取付部との横方向の分離を維持するように構成されたプラグ端子ホルダ内に部分的に包まれていてもよい。第１および第２のレセプタクル端子は、誘電材料から形成されるとともに第３の取付部と第４の取付部との横方向の分離を維持するように構成されたレセプタクル端子ホルダ内に部分的に包まれていてもよい。レセプタクル端子ホルダは、第１および第２のレセプタクル端子に隣接して一対のチャネルを形成してもよい。一対のチャネルは、第１および第２のレセプタクル端子が鉛直方向に撓むことを可能にするように構成される。
【００１０】
[0010]電気接続システムは、さらに、プラグコネクタから電気的に隔離されたプラグシールドを備えていてもよい。プラグシールドは、第１のシールド導体に取り付けられるように構成されるとともに、プラグコネクタを長手方向に取り囲むように構成される。電気接続システムは、さらに、レセプタクルコネクタから電気的に隔離されたレセプタクルシールドを備えていてもよい。レセプタクルシールドは、第２のシールド導体に取り付けられるように構成されるとともに、レセプタクルコネクタを長手方向に取り囲むように構成される。プラグシールドは、レセプタクルシールドの内部と摺動的に係合するように構成される。
【００１１】
[0011]プラグシールドは、第１および第２のプラグ端子の第１および第２の取付部の位置の近傍に外側エンボスを形成してもよく、それによって、第１および第２の取付部とプラグシールドとの距離が増大し、第１および第２のプラグ端子とプラグシールドとの間の静電結合が低減する。レセプタクルシールドは、第１および第２のレセプタクル端子の第３および第４の取付部の位置の近傍に外側エンボスを形成してもよく、それによって、第３および第４の取付部とレセプタクルシールドとの距離が増大し、第１および第２のレセプタクル端子とレセプタクルシールドとの間の静電結合が低減する。
【００１２】
[0012]レセプタクルシールドは、第１のレセプタクル端子の第１のタブおよび第２のレセプタクル端子の延在する第２のタブの位置の近傍に内側エンボスを形成してもよく、それによって、第１および第２のタブとレセプタクルシールドとの距離が低減し、第１および第２のレセプタクル端子とレセプタクルシールドとの間の静電結合が増大する。
【００１３】
[0013]第１および第２の導電体は、シールドされたワイヤケーブル、または、導電回路基板配線内にあってもよい。第３および第４の導電体も、シールドされたワイヤケーブル、または、導電回路基板配線内にあってもよい。
【００１４】
[0014]単に非限定的な例として与えられる本発明の好ましい実施形態の次の詳細な説明を、添付図面を参照して読めば、本発明のさらなる特徴および利点がいっそう明らかになるであろう。
【００１５】
[0015]本発明が、例示目的で、添付の図面を参照して以下に説明される。
【図面の簡単な説明】
【００１６】
【図１】[0016]一実施形態によるシールドされたワイヤケーブルの切り取り斜視図である。
【図２】[0017]一実施形態による図１のワイヤケーブルの断面図である。
【図３】[0018]信号立ち上がり時間、および、信号の立ち上がりの１０〜９０％から測定された幾つかの高速デジタル伝送規格の所望のケーブルインピーダンスを示す図表である。
【図４】[0019]一実施形態による図１および図２のワイヤケーブルの様々な性能特性を示す図表である。
【図５】[0020]一実施形態による図１および図２のワイヤケーブルの差動挿入損失と信号周波数との関係のグラフである。
【図６】[0021]一実施形態によるワイヤケーブルアセンブリの分解斜視図である。
【図７】[0022]一実施形態による図６のワイヤケーブルアセンブリの電気コネクタシステムの斜視図である。
【図８】[0023]一実施形態による図７の電気コネクタシステムの分解斜視図である。
【図９】[0024]一実施形態による図７の電気コネクタシステムの平面図である。
【図１０】[0025]一実施形態による図９の電気コネクタシステムの底面斜視図である。
【図１１】[0026]一実施形態による図９の電気コネクタシステムの断面図である。
【図１２】[0027]一実施形態による図９の電気コネクタシステムの長さに沿ったインピーダンスのグラフである。
【発明を実施するための形態】
【００１７】
[0028]本明細書で提示されるのは、ＵＳＢ３．０性能仕様およびＨＤＭＩ１．４性能仕様の両方をサポートするために５ギガバイト／秒（Ｇｂ／ｓ）（５０億バイト／秒）までの伝送速度のデジタル信号を運ぶことができるシールドされたワイヤケーブルアセンブリ用の電気コネクタアセンブリである。ワイヤケーブルアセンブリは、一対の導体（ワイヤ対）と導電シートとを有するワイヤケーブルと、ワイヤ対を電磁干渉から隔離し、ケーブルの特性インピーダンスを決定するための編組導体と、を備えている。ワイヤ対は、ワイヤ対とシールドとの間の一定の径方向距離を提供する助けとなる誘電ベルト内に包まれる。ベルトは、ワイヤ対がより線である場合には、ワイヤペア間の一貫性のあるより角度を維持する助けにもなり得る。ワイヤ対とシールドとの一定の径方向距離、および、一定のより角度は、ワイヤケーブルに、より一定のインピーダンスを提供する。ワイヤケーブルアセンブリは、ワイヤ対に接続される鏡写しのプラグ端子の対を有する電気レセプタクルコネクタ、および／または、プラグコネクタのプラグ端子に接続するように構成された、ワイヤ対に接続される鏡写しのレセプタクル端子の対を有する電気プラグコネクタを備えていてもよい。レセプタクル端子およびプラグ端子は、それぞれ、略矩形の断面を有しており、第１の電気コネクタと第２の電気コネクタとが接続されたときに、レセプタクル端子の主要幅は、プラグ端子の主要幅と実質的に直交し、レセプタクル端子とプラグ端子との接触点は、レセプタクル端子およびプラグ端子の外部にある。レセプタクルコネクタおよびプラグコネクタの両方は、シールドを備えている。このシールドは、レセプタクル端子またはプラグ端子を長手方向に取り囲み、ワイヤケーブルの編組導体に接続される。ワイヤケーブルアセンブリは、レセプタクル端子またはプラグ端子とシールドとを収容する絶縁コネクタ本体を備えていてもよい。
【００１８】
[0029]図１および図２は、ワイヤケーブルアセンブリにおいて使用されるワイヤケーブル１００の非限定的な例を示している。ワイヤケーブル１００は、第１の内側導体（以下、第１の導体１０２と呼ぶ）と、第２の内側導体（以下、第２の導体１０４と呼ぶ）と、を有する導体の中央対を備えている。第１の導体１０２および第２の導体１０４は、優れた導電性を有する導電材料（例えば、非めっき銅、または、銀めっき銅）から形成されている。本明細書で使用される場合、銅とは、元素の銅、または、銅系合金をいう。さらに、本明細書で使用される場合、銀とは、元素の銀、または、銀系合金をいう。銅および銀めっき銅導体のデザイン、構成およびソースは、当業者には周知である。第１の導体１０２および第２の導体１０４の各々は、約０．３２１ミリメートル（ｍｍ）の直径を有する銀めっき銅線、または、中実の導線（例えば、むき出しの（めっきされていない）導線を備えている。これは、２８ＡＷＧ単線とほぼ同等である。代替的に、第１の導体１０２および第２の導体１０４は、より小さい、または、より大きい寸法（例えば、それぞれ、３０ＡＷＧまたは２６ＡＷＧ）を有する単線から形成されていてもよい。ワイヤケーブルの代替実施形態は、第１の導体１０２および第２の導体１０４のためにより線を使用してもよい。
【００１９】
[0030]第１の導体１０２および第２の導体１０４の中央対は、よりの長さＬにわたって（例えば、１５．２４ｍｍごとに１回）長手方向にねじれていてもよい。第１の導体１０２および第２の導体１０４をねじることによって、中央対によって運ばれる信号の低周波電磁干渉を低減する利益がもたらされる。しかしながら、本発明者は、第１の導体１０２および第２の導体１０４が互いのまわりに捻られていないワイヤケーブルによっても、満足できる信号伝送性能が提供され得ることを見出した。第１の導体１０２および第２の導体１０４を捻らないことは、捻るプロセスを取り除くことによってワイヤケーブルの製造コストを低減するという利益を提供する。第１の導体１０２および第２の導体１０４を捻らないことによって、差動挿入損失が低減されることになるが、車両の引き回しにおいて特定の制限（具体的には、ケーブル延長の長さに沿って不均一に曲がることに対する）が必要になるという欠点を有する。
【００２０】
[0031]第１の導体１０２および第２の導体１０４の各々は、それぞれの第１の誘電絶縁体および第２の誘電絶縁体（以下、第１の絶縁体１０８、第２の絶縁体１１０と呼ぶ）内に取り囲まれている。第１の絶縁体１０８および第２の絶縁体１１０は、一緒に接合されている。第１の絶縁体１０８および第２の絶縁体１１０は、ワイヤケーブル１００を終端させるためにケーブルの両端のところで除去される部分を除き、ワイヤケーブル１００の全長に延在している。第１の絶縁体１０８および第２の絶縁体１１０は、可撓性を有する誘電材料（例えば、ポリプロピレン）から形成されている。第１の絶縁体１０８および第２の絶縁体１１０は、約０．８５ｍｍの厚みを有するものとして特徴付けられてもよい。
【００２１】
[0032]第１の絶縁体１０８を第２の絶縁体１１０に接合することは、第１の導体１０２と第２の導体１０４との間の一定の間隔Ｓを維持する助けになる。接合された絶縁体を有する一対の導体を製造するのに必要となる方法は、当業者には周知である。
【００２２】
[0033]第１の導体１０２および第２の導体１０４ならびに第１の絶縁体１０８および第２の絶縁体１１０は、ワイヤケーブル１００を終端させるためにケーブルの両端のところで除去される部分を除き、第３の誘電絶縁体（以下、ベルト１１２と呼ぶ）内に完全に取り囲まれている。第１の絶縁体１０８および第２の絶縁体１１０ならびにベルト１１２は、誘電構造１１３を一緒に形成する。
【００２３】
[0034]ベルト１１２は、可撓性導電性材料（例えば、ポリエチレン）から形成されている。図２に示されるように、ベルトは、２．２２ｍｍの直径Ｄを有するものとして特徴付けられてもよい。第１の絶縁体１０８および第２の絶縁体１１０の端部が第１の導体１０２および第２の導体１０４からはぎ取られてワイヤケーブル１００の末端を形成するときに、第１の絶縁体１０８および第２の絶縁体１１０からベルト１１２を容易に取り除くことができるようにするために、離型剤１１４（例えば、タルク系粉末）が、接合された第１の絶縁体１０８および第２の絶縁体１１０の外面に塗布されてもよい。
【００２４】
[0035]ベルト１１２は、ワイヤケーブル１００を終端させるためにケーブルの両端部のところで取り除かれ得る部分を除き、導電シート（以下、内側シールド１１６と呼ぶ）内に完全に取り囲まれる。内側シールド１１６は、ベルト１１２のまわりに単一層で長手方向に巻かれる。その結果、内側シールド１１６は、第１の導体１０２および第２の導体１０４の中央対に略平行に延在する単一の継ぎ目１１８を形成する。内側シールド１１６は、ベルト１１２のまわりに渦巻き状に巻かれておらず、あるいは、螺旋状に巻かれていない。内側シールド１１６の継ぎ目縁部は、重なってもよく、その結果、内側シールド１１６は、ベルト１１２の外面の少なくとも１００パーセントを覆う。内側シールド１１６は、可撓性導電性材料（例えば、アルミめっき二軸延伸ＰＥＴフィルム）から形成されている。二軸延伸ポリエチレンテレフタレートフィルムは、ＭＴＬＡＲとの商品名で一般に知られており、アルミめっき二軸延伸ＰＥＴフィルムは、以下では、ＭＹＬＡＲフィルムと呼ぶ。アルミめっきＭＹＬＡＲフィルムは、主要面のうちの１つのみに適用される導電性アルミニウムコーティングを有している。他の主要面は、アルミめっきされておらず、したがって、非導電性である。一方側のみアルミめっきされたＭＹＬＡＲフィルムのデザイン、構成およびソースは、当業者には周知である。内側シールド１１６のアルミめっきされていない面は、ベルト１１２の外面と接触する。内側シールド１１６は、０．０４ｍｍ以下の厚みを有するものとして特徴付けられてもよい。
【００２５】
[0036]ベルト１１２は、伝送線特性を維持し、第１の導体１０２および第２の導体１０４と内側シールド１１６との間の一定の径方向距離を提供するという利点を提供する。ベルト１１２は、さらに、第１の導体１０２と第２の導体１０４との間のねじれ長さを一貫したものに維持するという利点を提供する。従来技術で見られるシールドされたツイストペアケーブルは、典型的には、ツイストペアとシールドとの間の誘電体として空気のみを有している。第１の導体１０２および第２の導体１０４と内側シールド１１６との距離、ならびに、第１の導体１０２および第２の導体１０４の有効ねじれ長さの両方は、ワイヤケーブルインピーダンスに影響を与える。したがって、第１の導体１０２および第２の導体１０４と内側シールド１１６との間のより一定の径方向距離を有するワイヤケーブルは、より一定のインピーダンスを提供する。第１の導体１０２および第２の導体１０４の一定のねじれ長さは、制御されたインピーダンスも提供する。
【００２６】
[0037]代替的には、ワイヤケーブルは、第１および第２の絶縁体を包んで第１の絶縁体と第２の絶縁体との間の一定の横方向の距離と、第１および第２の絶縁体と内側シールドとの間の一定の径方向距離と、を維持する単一の誘電構造を組み込むことが想定されてもよい。誘電構造は、第１および第２の絶縁体のねじれ長さを一定の状態に維持してもよい。
【００２７】
[0038]図１および図２に示されるように、ワイヤケーブル１００は、さらに、内側シールド１１６の外側に配置されるグラウンド導体（以下、ドレイン線１２０と呼ぶ）を備えている。ドレイン線１２０は、第１の導体１０２および第２の導体１０４に略平行に延在し、内側シールド１１６のアルミめっきされた外面と密着するか、または、少なくとも電気的に連通する。ドレイン線１２０は、２８ＡＷＧ単線と略同等である約０．３２１ｍｍ２の断面を有する単線導体（例えば、非めっき銅導体、スズめっき銅導体、または、銀めっき銅導体）を備えている。代替的には、ドレイン線１２０は、より小さい寸法（例えば、３０ＡＷＧまたは３２ＡＷＧ）を有する単線から形成されていてもよい。ワイヤケーブルの代替実施形態は、ドレイン線１２０用のより線を使用してもよい。銅およびスズめっき銅導体のデザイン、構成およびソースは、当業者には公知である。
【００２８】
[0039]図１および図２に示されるように、ワイヤケーブル１００は、さらに、ワイヤケーブル１００を終端させるためにケーブルの両端部のところで取り除かれ得る部分を除いて、内側シールド１１６とドレイン線１２０とを取り囲む編組導線（以下、外側シールド１２４と呼ぶ）を備えている。外側シールド１２４は、複数の織られた導体（例えば、銅、または、スズめっき銅）から形成されている。本明細書で使用される場合、スズとは、元素のスズまたはスズ系合金をいう。そのような外側シールドを提供するために使用される編組導体のデザイン、構成およびソースは、当業者には周知である。外側シールド１２４は、内側シールド１１６とドレイン線１２０との両方に密着するか、あるいは、少なくとも電気的に連通する。外側シールド１２４を形成するワイヤは、内側シールド１１６の外面の少なくとも６５パーセントと接触してもよい。外側シールド１２４は、０．３０ｍｍ以下の厚みを有するものとして特徴付けられてもよい。
【００２９】
[0040]図１および図２に示されるワイヤケーブル１００は、さらに、外側誘電絶縁体（以下、ジャケット１２６と呼ぶ）を備えている。ジャケット１２６は、ワイヤケーブル１００を終端させるためにケーブルの両端部のところで取り除かれ得る部分を除いて、外側シールド１２４を取り囲む。ジャケット１２６は、ワイヤケーブル１００のための電気絶縁性と環境保護との両方を提供する外側絶縁層を形成する。ジャケット１２６は、可撓性を有する誘電材料（例えば、ポリ塩化ビニル（ＰＶＣ））から形成されている。ジャケット１２６は、約０．２ｍｍの厚みを有するものとして特徴付けられてもよい。
【００３０】
[0041]ワイヤケーブル１００は、内側シールド１１６がベルト１１２に対して密着し、外側シールド１２４がドレイン線１２０と内側シールド１１６とに対して密着し、ジャケット１２６が外側シールド１２４に対して密着し、その結果、これらの要素間の空隙の形成が最小化されるか小さくなるように構成される。これによって、制御された透磁率を有するワイヤケーブル１００が提供される。
【００３１】
[0042]ワイヤケーブル１００は、９５オームの差動インピーダンスを有するものとして特徴付けられてもよい。
【００３２】
[0043]図３は、信号立ち上がり時間（ピコ秒（ｐｓ））についての必要条件と、ＵＳＢ３．０性能仕様およびＨＤＭＩ１．４性能仕様のための差動インピーダンス（オーム（Ω））と、を示している。また、図３は、ＵＳＢ３．０規格とＨＤＭＩ１．４規格とを同時に満たすことができるワイヤケーブルのための組み合わせられた必要条件を示している。このワイヤケーブルは、組み合わせられたＵＳＢ３．０およびＨＤＭＩ１．４の信号立ち上がり時間および差動インピーダンスの図７に示される必要条件を満たすことが期待される。
【００３３】
[0044]図４は、０〜７５００ＭＨｚ（７．５ＧＨｚ）の信号周波数範囲にわたってワイヤケーブル１００について期待される差動インピーダンスを示している。
【００３４】
[0045]図５は、０〜７５００ＭＨｚ（７．５ＧＨｚ）の信号周波数範囲にわたって７ｍの長さを有するワイヤケーブル１００について期待される挿入損失を示している。
【００３５】
[0046]したがって、図４および図５に示されるように、７メートルまでの長さを有するワイヤケーブル１００は、２０ｄＢ未満の挿入損失で、５ギガバイト／秒までの速度で非ゼロ復帰（ＮＲＺ）デジタルデータを伝送することができると期待される。
【００３６】
[0047]図６の非限定的な例に示されるように、ワイヤケーブルアセンブリは、電気コネクタアセンブリを備えている。このコネクタアセンブリは、図７に示されるように、レセプタクルコネクタ１２８と、レセプタクルコネクタ１２８を受け入れるように構成されたプラグコネクタ１３０と、を備えている。
【００３７】
[0048]図８に示されるように、レセプタクルコネクタ１２８は、２つの端子、すなわち、第１の内側導体１０２に接続される第１のレセプタクル端子１３２と、ワイヤケーブル１００の第２の内側導体（斜視的に図示しているので図示されていない）に接続される第２のレセプタクル端子１３４と、を備えている。第１のレセプタクル端子１３２は、第１の片持ちビーム部１３６を備えている。第１の片持ちビーム部１３６は、略矩形の断面を有しており、第１の片持ちビーム部１３６の自由端の近傍で第１の片持ちビーム部１３６から延在する凸状の第１の接触点１３８を形成する。また、第２のレセプタクル端子１３４は、類似の第２の片持ちビーム部１４０を備えている。第２の片持ちビーム部１４０は、略矩形の断面を有しており、第２の片持ちビーム部１４０の自由端の近傍で第２の片持ちビーム部１４０から延在する凸状の第２の接触点１４２を形成する。図９に最もよく示されるように、第１のレセプタクル端子１３２および第２のレセプタクル端子１３４は、それぞれ、取付部１４４を備えている。取付部１４４は、ワイヤケーブル１００の内側導体の端部を受け入れるとともに、第１の内側導体１０２および第２の内側導体１０４を第１のレセプタクル端子１３２および第２のレセプタクル端子１３４に取り付けるための面を提供するように構成される。取付部１４４は、第１の内側導体１０２と第２の内側導体１０４との間に一定の間隔Ｓを維持するように構成される。レセプタクル端子ホルダ１４８が、第１のレセプタクル端子１３２および第２のレセプタクル端子１３４を部分的に包んでいる。レセプタクル端子ホルダ１４８は、第１のレセプタクル端子１３２と第２のレセプタクル端子１３４との間の空間的な関係を維持して、第１の内側導体１０２と第２の内側導体１０４との間の一定の間隔Ｓを維持する。第１のレセプタクル端子１３２および第２のレセプタクル端子１３４は、長手方向軸線Ｘのまわりで左右対称の鏡像対称の端子対を形成し、また、長手方向軸線Ｘに対して実質的に平行であるとともに互いに対して実質的に平行である。図示される実施形態では、第１の片持ちビーム部１３６と第２の片持ちビーム部１４０との距離は、中心間で２．８５ｍｍである。ワイヤケーブル１００の第１の内側導体１０２および第２の内側導体１０４は、超音波溶接プロセスを使用して、第１のレセプタクル端子１３２および第２のレセプタクル端子１３４の取付部１４４に取り付けられる。
【００３８】
[0049]図９に最もよく示されるように、第１のレセプタクル端子１３２および第２のレセプタクル端子１３４は、それぞれ、第１のレセプタクル端子が第２のレセプタクル端子に向けて延在するタブ１４６を形成し、第２のレセプタクル端子が第１のレセプタクル端子のタブ１４６に向けて延在するタブ１４６を形成するように、内側に向けて延在するタブ１４６を形成する。タブ１４６は、第１のレセプタクル端子１３２と第２のレセプタクル端子１３４との間の静電結合を増大させるように機能する。
【００３９】
[0050]再度、図８を参照すると、プラグコネクタ１３０は、２つの端子、すなわち、第１の内側導体１０２に接続される第１のプラグ端子１６０と、ワイヤケーブル１００の第２の内側導体１０４に接続される第２のプラグ端子１６２と、を備えている。図９に最もよく示されるように、第１のプラグ端子１６０は、略矩形の断面を有する第１の細長い平面部１６４を備えている。また、第２のプラグ端子１６２は、類似の第２の細長い平面部１６６を備えている。プラグ端子の平面部は、第１のレセプタクル端子１３２および第２のレセプタクル端子１３４の第１の接触点１３８および第２の接触点１４２を受け入れて接触するように構成される。平面部の自由端は、プラグコネクタ１３０とレセプタクルコネクタ１２８とが接続されたときに、第１のレセプタクル端子１３２および第２のレセプタクル端子１３４と接続されて、第１の平面部１６４および第２の平面部１６６の自由端の上に乗り上げることができるようにするために、斜めの形状を有している。第１のプラグ端子１６０および第２のプラグ端子１６２は、それぞれ、第１のレセプタクル端子１３２および第２のレセプタクル端子１３４の取付部１４４に類似の取付部１４４を備えている。この取付部１４４は、第１の内側導体１０２および第２の内側導体１０４の端部を受け入れるように構成されるとともに第１の内側導体１０２および第２の内側導体１０４を第１のプラグ端子１６０および第２のプラグ端子１６２に取り付けるための面を提供するように構成される。取付部１４４は、第１の内側導体１０２と第２の内側導体１０４との間の一定の間隔を維持するように構成される。プラグ端子ホルダ１７０が、第１のプラグ端子１６０および第２のプラグ端子１６２を部分的に包んでいる。プラグ端子ホルダ１７０は、第１のプラグ端子１６０と第２のプラグ端子１６２との間の空間的な関係を維持して、第１の内側導体１０２と第２の内側導体１０４との間の一定の間隔Ｓを維持する。第１のプラグ端子１６０および第２のプラグ端子１６２は、長手方向軸線Ｘのまわりで左右対称の鏡像対称の端子対を形成し、また、長手方向軸線Ｘに対して実質的に平行であるとともに互いに対して実質的に平行である。図示される実施形態では、第１の平面部と第２の平面部との距離は、中心間で２．８５ｍｍである。本発明者は、コンピュータシミュレーションから得られたデータを通じて、鏡像対称の平行なレセプタクル端子とプラグ端子とが、ワイヤケーブルアセンブリの高速電気特性（例えば、インピーダンスおよび挿入損失）に大きな影響を与えることを見出した。ワイヤケーブル１００の第１の内側導体１０２および第２の内側導体１０４は、超音波溶接プロセスを使用して、第１のプラグ端子１６０および第２のプラグ端子１６２の取付部１４４に取り付けられる。
【００４０】
[0051]図８に示されるように、第１のプラグ端子１６０および第２のプラグ端子１６２ならびに第１のレセプタクル端子１３２および第２のレセプタクル端子１３４は、レセプタクルコネクタ１２８およびプラグコネクタ１３０が接続されたときに第１のレセプタクル端子１３２および第２のレセプタクル端子１３４の主要幅が第１のプラグ端子１６０および第２のプラグ端子１６２の主要幅に実質的に垂直になるように、レセプタクルコネクタ１２８およびプラグコネクタ１３０内に方向付けられる。本明細書で使用される場合、実質的に垂直とは、主要幅が絶対的に垂直の±１５°であることを意味する。本発明者は、第１のプラグ端子１６０および第２のプラグ端子１６２と、第１のレセプタクル端子１３２および第２のレセプタクル端子１３４と、の間のこの向きが、挿入損失に大きな影響を与えることを見出した。また、レセプタクルコネクタ１２８とプラグコネクタ１３０とが接続されたとき、第１のレセプタクル端子１３２および第２のレセプタクル端子１３４は、第１のプラグ端子１６０および第２のプラグ端子１６２と重複する。レセプタクルコネクタ１２８およびプラグコネクタ１３０は、第１のレセプタクル端子１３２および第２のレセプタクル端子１３４の第１の接触点１３８および第２の接触点１４２のみが第１のプラグ端子１６０および第２のプラグ端子１６２の平面的なブレード部と接触し、第１のレセプタクル端子１３２および第２のレセプタクル端子１３４と第１のプラグ端子１６０および第２のプラグ端子１６２との間に形成される接触面積が、第１のレセプタクル端子１３２および第２のレセプタクル端子１３４と第１のプラグ端子１６０および第２のプラグ端子１６２との間で重複される面積未満となるように構成される。したがって、接触面積（ワイプ距離と呼ばれることもある）は、第１の接触点１３８および第２の接触点１４２の面積によって定まり、端子同士の重複によっては定まらない。したがって、レセプタクル端子およびプラグ端子は、第１のレセプタクル端子１３２および第２のレセプタクル端子１３４の第１の接触点１３８および第２の接触点１４２が第１のプラグ端子１６０および第２のプラグ端子１６２と完全に係合する限り、一定の接触面積を提供するという利益をもたらす。プラグ端子およびレセプタクル端子の両方は、鏡像対称の対であるから、第１のレセプタクル端子１３２と第１のプラグ端子１６０との第１の接触面積と、第２のレセプタクル端子１３４と第２のプラグ端子１６２との第２の接触面積と、は実質的に等しい。本明細書で使用される場合、実質的に等しいとは、第１の接触面積と第２の接触面積との接触面積差が０．１ｍｍ２未満であることを意味する。本発明者は、コンピュータシミュレーションから得られたデータを通じて、プラグ端子とレセプタクル端子との接触面積、および、第１の接触面積と第２の接触面積との差が、ワイヤケーブルアセンブリの挿入損失に大きな影響を与えることを見出した。
【００４１】
[0052]第１のプラグ端子１６０および第２のプラグ端子１６２は、第１のレセプタクル端子１３２および第２のレセプタクル端子１３４内に受け入れられず、したがって、プラグコネクタ１３０がレセプタクルコネクタ１２８に接続されるときに、第１の接触面積は、第１のプラグ端子１６０の外部にあり、第２の接触面積は、第２のプラグ端子１６２の外部にある。
【００４２】
[0053]第１のレセプタクル端子１３２および第２のレセプタクル端子１３４、ならびに、第１のプラグ端子１６０および第２のプラグ端子１６２は、銅系材料のシートから形成されていてもよい。第１の片持ちビーム部１３６および第２の片持ちビーム部１４０、ならびに、第１の平面部１６４および第２の平面部１６６は、銅／ニッケル／銀系のめっきを使用して選択的にめっきされてもよい。端子は、５皮膚厚までめっきされてもよい。第１のレセプタクル端子１３２および第２のレセプタクル端子１３４、ならびに、第１のプラグ端子１６０および第２のプラグ端子１６２は、レセプタクルコネクタ１２８およびプラグコネクタ１３０が約０．４ニュートン（４５グラム）の低挿入垂直抗力を示すように構成される。この低垂直抗力は、接続／接続解除サイクル中のめっきの剥離を低減する効果を提供する。
【００４３】
[0054]図８に示されるように、プラグコネクタ１３０は、ワイヤケーブル１００の外側シールド１２４に取り付けられるプラグシールド１７２を備えている。プラグシールド１７２は、第１のプラグ端子１６０および第２のプラグ端子１６２ならびにプラグ端子ホルダ１７０から離間しており、また、これらを長手方向に取り囲んでいる。また、レセプタクルコネクタ１２８は、ワイヤケーブル１００の外側シールド１２４に取り付けられるレセプタクルシールド１７４を備えている。レセプタクルシールド１７４は、第１のレセプタクル端子１３２、第２のレセプタクル端子１３４、レセプタクル端子ホルダ１４８およびレセプタクル端子カバー１５２から離間しており、また、これらを長手方向に取り囲んでいる。レセプタクルシールド１７４およびプラグシールド１７２は、互いに摺動的に接触し、また、接続されたときに、取り付けられたワイヤケーブル１００の外側シールド同士の間の電気的導通と、レセプタクルコネクタ１２８およびプラグコネクタ１３０に対する電磁シールドと、を提供するように構成される。
【００４４】
[0055]図８に示されるように、プラグシールド１７２は、２つの部品、すなわち、第１のプラグシールド１７２Ａと第２のプラグシールド１７２Ｂとから形成されている。第１のプラグシールド１７２Ａは、ワイヤケーブル１００を受け入れるように構成された取付部に隣接して、２組の圧着ウィング、すなわち、導体圧着ウィング１７６と絶縁体圧着ウィング１７８とを備えている。導体圧着ウィング１７６は、バイパス型の圧着ウィングであり、オフセットされ、かつ、導体圧着ウィング１７６がワイヤケーブル１１０に圧着されたときにワイヤケーブル１００の露出した外側シールド１２４を取り囲むように構成される。ドレイン線１２０は、第１のプラグシールド１７２Ａが外側シールド１２４に圧着されたときに、第１のプラグシールド１７２Ａに電気的に接続される。なぜなら、ワイヤケーブル１００のドレイン線１２０は、ワイヤケーブル１１０の内側シールド１１６と外側シールド１２４との間に挟まれるからである。これによって、圧着前にドレイン線１２０をシールドに対して方向付ける必要なしに、プラグシールド１７２をドレイン線１２０に接続する利益が提供される。ドレイン線を備えていないワイヤケーブルの他の実施形態も想定され得る。
【００４５】
[0056]絶縁体圧着ウィングもバイパス型のウィングであり、オフセットされ、かつ、プラグシールド１７２がワイヤケーブル１１０に圧着されたときにワイヤケーブル１００のジャケット１２６を取り囲むように構成される。
【００４６】
[0057]第１のプラグシールド１７２Ａは、外向きにエンボス加工された部分１８４を形成している。エンボス加工部分１８４は、プラグ端子の取付部１４４と、第１の内側導体１０２および第２の内側導体１０４と、の接続部に近接している。エンボス加工部分１８４は、取付部１４４と第１のプラグシールド１７２Ａと距離を増大させ、したがって、それらの間の静電結合が低減される。
【００４７】
[0058]図８に示されるように、レセプタクルシールド１７４は、２つの部分、すなわち、第１のレセプタクルシールド１７４Ａと第２のレセプタクルシールド１７４Ｂとから同様に形成されている。第１のレセプタクルシールド１７４Ａは、ワイヤケーブル１１０を受け入れるように構成された取付部分に隣接して、２組の圧着ウィング、すなわち、導体圧着ウィング１７６と絶縁体圧着ウィング１７８とを備えている。導体圧着ウィング１７６は、バイパス型の圧着ウィングであり、オフセットされ、かつ、導体圧着ウィング１７６がワイヤケーブル１００に圧着されたときにワイヤケーブル１００の露出した外側シールド１２４を取り囲むように構成される。
【００４８】
[0059]絶縁圧着ウィングもバイパス型のウィングであり、オフセットされ、かつ、プラグシールド１７２がワイヤケーブル１００に圧着されたときにワイヤケーブル１００のジャケット１２６を取り囲むように構成される。
【００４９】
[0060]第１のレセプタクルシールド１７４Ａは、外向きにエンボス加工された部分１８６を形成する。エンボス加工部分１８６は、プラグ端子の取付部１４４と、第１の内側導体１０２および第２の内側導体１０４と、の接続部に近接している。エンボス加工部分１８６は、取付部１４４と第１のプラグシールド１７２Ａとの距離を増大させ、したがって、取付部１４４とレセプタクルシールド１７４との間の静電結合を低減させる。第１のレセプタクルシールド１７４Ａは、さらに、内向きにエンボス加工された部分１８８を形成する。エンボス加工部分１８８は、第１のレセプタクル端子１３２および第２のレセプタクル端子１３４のタブ１４６の位置に近接している。この内向きにエンボス加工された部分１８８は、第１および第２のタブ１４６とレセプタクルシールド１７４との距離を低減し、したがって、第１のレセプタクル端子１３２および第２のレセプタクル端子１３４とレセプタクルシールド１７４と間の静電結合を増大させる。
【００５０】
[0061]図示される例のプラグシールド１７２の外側は、レセプタクルシールド１７４の内側と摺動可能に係合するように構成されているが、レセプタクルシールド１７４の外側がプラグシールド１７２の内側と摺動可能に係合する代替実施形態も想定され得る。
【００５１】
[0062]レセプタクルシールド１７４およびプラグシールド１７２は、銅系材料のシートから形成されていてもよい。レセプタクルシールド１７４およびプラグシールド１７２は、銅／ニッケル／銀またはスズ系のめっきを使用してめっきされていてもよい。第１のレセプタクルシールド１７４Ａおよび第２のレセプタクルシールド１７４Ｂ、ならびに、第１のプラグシールド１７２Ａおよび第２のプラグシールド１７２Ｂは、当業者には周知のスタンピングプロセスによって形成されていてもよい。
【００５２】
[0063]図１２に示されるように、ワイヤケーブルの一定の間隔Ｓを維持するための取付部１４４同士の間隔、第１のレセプタクル端子１３２と第２のレセプタクル端子１３４との間の静電結合を増大させる第１のレセプタクル端子１３２および第２のレセプタクル端子１３４のタブ１４６、第１のレセプタクル端子１３２および第２のレセプタクル端子１３４のタブ１４６とレセプタクルシールド１７４との間の静電結合を低減させるレセプタクルシールドの内向きにエンボス加工された部分１８８、および、第１のレセプタクル端子１３２および第２のレセプタクル端子１３４とレセプタクルシールド１７４と第１のプラグ端子１６０および第２のプラグ端子１６２とプラグシールド１７２との間の静電結合を増大させるプラグシールド１７２の外向きにエンボス加工された部分１８４およびレセプタクルシールド１７４の外向きにエンボス加工された部分１８６を含むコネクタシステムの特徴は、すべて、例えば米国特許第９，１４２，９０７号に記載されたもののような従前のコネクタシステム構成１９６によって提供される場合と比べて、コネクタシステム１９４の長さに沿ってより一定のインピーダンスを提供するために協働する。
【００５３】
[0064]本明細書で図示されるプラグコネクタおよびレセプタクルコネクタの例は、ワイヤケーブルに接続されるが、回路基板上の導電配線に接続されるプラグコネクタおよびレセプタクルコネクタの他の実施形態も想定され得る。
【００５４】
[0065]自動車環境での用途の要件（例えば、耐振動、耐接続解除）を満たすために、ワイヤケーブルアセンブリは、さらに、図８に示されるように、レセプタクルコネクタ本体１９０と、プラグコネクタ本体１９２と、を備えていてもよい。レセプタクルコネクタ本体１９０およびプラグコネクタ本体１９２は、誘電材料（例えば、ポリエステル材料）から形成されていてもよい。
【００５５】
[0066]このように、コネクタアセンブリが提供される。このコネクタアセンブリは、変調またはエンコードすることなく３．５Ｇｂ／ｓ以上のデータ伝送速度でデジタルデータ信号を伝送することができるワイヤケーブル１００を終端させるのに適している。コネクタアセンブリは、コネクタシステムの長さに沿って一定の電気インピーダンスを維持し、それによって信号劣化を低減することによるインピーダンス整合の利益を提供する。
【００５６】
[0067]本発明が、その好ましい実施形態について説明されたが、それは、そのように限定されることは意図しておらず、次の特許請求の範囲に記載される範囲によってのみ限定されることを意図している。例えば、上述の実施形態（および／または、その態様）は、互いに組み合わされて使用されてもよい。さらに、本発明の範囲から逸脱することなく、特定の状況または材料を本発明の教示に適用するように多くの変形形態を作り得る。様々な構成要素の寸法、材料の種類、および、向き、ならびに、本明細書に記載される様々な構成要素の数および位置は、なんらかの実施形態のパラメータを定義することを意図しており、決して限定ではなく、単なる典型的な実施形態である。
【００５７】
[0068]特許請求の範囲の趣旨および範囲内での多くの他の実施形態および変形形態は、上記の説明を読めば、当業者には明らかであろう。したがって、本発明の範囲は、そのような特許請求の範囲に与えられる均等物の完全な範囲と共に、次の特許請求の範囲を参照して決定されるべきである。
【００５８】
[0069]次の特許請求の範囲において、「備える(including)」、「この場合（in which)」との用語は、それぞれの用語「備える（comprising）」、「この場合（wherein）」の分かりやすい英語の同義語として使用されている。さらに、第１、第２などの用語は、重要性の順序を示すものではなく、第１，第２などの用語は、１つの要素を他の要素と区別するために使用される。さらに、ａ、ａｎなどの用語の使用は、量の限定を示すものではなく、言及される物の少なくとも１つの存在を示している。さらに、上部、下部などの方向に関する用語は、特定の向きを示すものではなく、上部、下部などの用語は、１つの要素を他の要素と区別し、様々な要素間の位置関係を規定するために使用されている。
【００５９】
[0070]さらに、次の特許請求の範囲の限定は、ミーンズプラスファンクション形式では記載されておらず、特許請求の範囲の限定がさらなる構造が欠けた機能の記述の前に「means for」との用語を明確に使用していなければ、ＵＳＣ１１２条（ｆ）に基づいて解釈されることを意図していない。
【図１】
2019106355.tif 000003
【図２】
2019106355.tif 000004
【図３】
2019106355.tif 000005
【図４】
2019106355.tif 000006
【図５】
2019106355.tif 000007
【図６】
2019106355.tif 000008
【図７】
2019106355.tif 000009
【図８】
2019106355.tif 000010
【図９】
2019106355.tif 000011
【図１０】
2019106355.tif 000012
【図１１】
2019106355.tif 000013
【図１２】
2019106355.tif 000014
【外国語明細書】
2019106355000001.pdf